(57)【要約】【課題】  後方フラップ部を面積の広いものにでき、身体の動きにより後方フラップ部に縒れやめくれが生じ難い生理用ナプキンを得る。【解決手段】  下着のクロッチ部に巻き付ける折返しフラップ部１１の後方に後方フラップ部２１が形成されている。後方フラップ部２１は、その最大幅部２１ｃが前方に位置し、後縁部１ｂに向かうにしたがって幅寸法が徐々に小さくなる形状である。最大幅部２１ｃが前方に位置しているため、最大幅部２１ｃの部分の動きが小さくなり、後方フラップ部２１に縒れやめくれが発生しにくくなる。また、後方主吸収領域４０Ｄの左右両側に最大幅部２１ｃが位置し、この最大幅部２１ｃの内側が感圧接着剤層５２で下着にしっかり固定されるため、後方主吸収領域４０Ｄが臀部の溝に対向した状態で動きにくい。【選択図】  図１
2005177087.tif 000002
【特許請求の範囲】
【請求項１】
肌側表面と着衣側表面を有し、前記肌側表面に与えられた液を吸収する液吸収層と、前記着衣側表面に現れる裏面シートとを備えた縦長の生理用ナプキンにおいて、
横方向の両側に突出する折返しフラップ部と、この折返しフラップ部よりも後方の突出起点からナプキンの後縁までの範囲で横方向の両側に突出する後方フラップ部とを有しており、前記後方フラップ部は、前記突出起点から前記後縁までの縦方向の長さの中点よりも前方において、縦方向中心からの半幅寸法が最大となることを特徴とする生理用ナプキン。
【請求項２】
前記後方フラップ部は、半幅寸法が最大となる位置から前記後縁に向けて半幅寸法が徐々に小さくなる形状である請求項１記載の生理用ナプキン。
【請求項３】
前記折返しフラップ部を縦方向に二分する横方向基準線から前記半幅寸法が最大となる位置までの縦方向の長さ寸法が５０〜１５０ｍｍの範囲である請求項１または２記載の生理用ナプキン。
【請求項４】
前記後方フラップ部の半幅寸法の最大値は、６０〜１２０ｍｍの範囲である請求項１ないし３のいずれかに記載の生理用ナプキン。
【請求項５】
前記後方フラップ部の着衣側表面には感圧接着剤層が設けられており、この感圧接着剤層は、後方フラップ部の半幅寸法が最大となる位置にその一部が存在し、または前記最大となる位置の前後１０ｍｍの範囲内にその一部が存在している請求項１ないし４のいずれかに記載の生理用ナプキン。
【請求項６】
前記肌側表面には、液吸収領域を囲む圧縮溝が形成されており、この圧縮溝は、前記後方フラップ部の半幅寸法が最大となる位置に存在し、または前記最大となる位置よりも前方１０ｍｍ以内の範囲に位置している請求項１ないし５のいずれかに記載の生理用ナプキン。
【発明の詳細な説明】
【技術分野】
【０００１】
本発明は、就寝時などの着用に適した生理用ナプキンに係り、特に股間部後方から臀部を広く覆う後方フラップ部が設けられた生理用ナプキンに関する。
【背景技術】
【０００２】
生理中の女性が就寝時などに着用するのに適した生理用ナプキンとして、縦方向の寸法が長く、前方に横方向の両側へ突出する折返しフラップ部が設けられ、後方に横方向両側に突出する後方フラップ部が設けられたものが使用されている。この生理用ナプキンを下着の内側に設置するときには、前記折返しフラップ部を下着のクロッチ部の外面に折返して感圧接着剤層により接着固定する。また、後方フラップ部を、下着の後身頃の内面に感圧接着剤層を介して接着固定する。
【０００３】
以下の特許文献１ないし特許文献４に記載の生理用ナプキンは、いずれも折返しフラップ部と後方フラップ部を有している。これらの生理用ナプキンは、後方フラップ部がナプキンの後縁に向けてその幅寸法が徐々に大きくなり、ナプキンの後縁に近い位置で幅寸法が最大になる。
【０００４】
また、特許文献１に記載のものは、ナプキンの着衣側表面に設けられた感圧接着剤層が、後方フラップ部の幅寸法が最大となる部分に設けられている。
【特許文献１】特開平８−３２２８７９号
【特許文献２】特開２０００−１８９４５９号
【特許文献３】特開２００３−５２７４３号
【特許文献４】特開２００３−５２７４４号
【発明の開示】
【発明が解決しようとする課題】
【０００５】
前記従来の生理用ナプキンは、いずれも後方フラップ部を設けることにより、就寝時などにおいて、臀部方向への経血の洩れを防止しようとするものである。しかし、各特許文献に記載の生理用ナプキンは、後方フラップ部の幅寸法が最大となる部分がナプキンの後縁に近い位置にあり、後方フラップ部の前方部分ではナプキンの幅寸法が小さくなっている。そのため、就寝時に横向き姿勢となったときなどにおいて、経血が生理用ナプキンの肌側表面を伝わって斜め後方へ流れたときに、後方フラップによってこの経血の滲出を十分に防止できない。
【０００６】
また、縦長の生理用ナプキンを身体に装着した場合に、その前方部分は身体の大腿部で挟まれ、且つ前記折返しフラップ部が下着に固定されているため、この前方部分は比較的位置ずれしにくい。しかし、生理用ナプキンの後方部分は、身体の動きに応じて、横方向中心線付近を支点として左右に動きやすく、その動き幅は前記横方向中心線から離れるにしたがって、すなわちナプキンの後縁に近づくほど大きくなる。
【０００７】
各特許文献に記載の生理用ナプキンでは、横方向への動きの大きい後縁に近い部分において後方フラップ部の幅寸法が大きくなっているため、幅が広がっている部分において後方フラップ部に縒れが生じたり下着の内面からめくれる現象が発生しやすい。また、特許文献１に記載のものはナプキンの後縁に近い位置に、後方フラップ部を下着に固定する感圧接着剤層が設けられているが、この部分ではナプキンが横方向へ大きく動きやすいために、感圧接着剤層による固定部の周囲部分でナプキンが縒れやすくなる。このようにしてナプキンの後縁付近に発生した前記縒れやめくれはナプキンの前方に伝わるため、生理用ナプキン全体が変形しやすく、またその装着位置も不安定になりやすい。
【０００８】
特許文献２ないし４に記載のものは、肌側表面においてエンボスで囲まれた領域が縦方向に長く形成されている。このようにエンボスで囲まれた縦長の領域を設けると、女性の股間部の膣から肛門付近にかけてナプキンの肌側表面と身体との間に隙間が形成され難くなる。しかし、前記のように後方フラップ部の幅寸法の大きい部分をきっかけとしてナプキン全体に変形が生じやすくなると、前記領域の特に後方部分が会陰部や肛門から離れたり、横方向へ位置ずれしたりして、前記エンボスを設けたことの効果を十分に発揮できなくなる。
【０００９】
本発明は前記従来の課題を解決するものであり、後方フラップ部が変形しにくく、常に臀部を広く覆えるようにして、後方や斜め後方への経血の洩れを生じ難くした生理用ナプキンを提供することを目的としている。
【課題を解決するための手段】
【００１０】
本発明は、肌側表面と着衣側表面を有し、前記肌側表面に与えられた液を吸収する液吸収層と、前記着衣側表面に現れる裏面シートとを備えた縦長の生理用ナプキンにおいて、
横方向の両側に突出する折返しフラップ部と、この折返しフラップ部よりも後方の突出起点からナプキンの後縁までの範囲で横方向の両側に突出する後方フラップ部とを有しており、前記後方フラップ部は、前記突出起点から前記後縁までの縦方向の長さの中点よりも前方において、縦方向中心からの半幅寸法が最大となることを特徴とするものである。
【００１１】
この生理用ナプキンは、後方フラップ部の前方部分においてその幅寸法が最大になるため、就寝時に横向き姿勢となったときなどにおいて、経血の斜め後方への流れが生じたとしても、これを後方フラップ部で受けることができ、ナプキン外への経血の洩れを防止しやすい。また、縦長の生理用ナプキンは、後縁に向かうにしたがって横方向への動きが大きくなるが、後方フラップ部の幅寸法の大きい部分がナプキンの後縁から前方に離れた位置に有るために、幅寸法の大きい部分に作用する横方向への動きが比較的小さくなり、ナプキンに撚れやめくれが生じにくくなる。
【００１２】
また、本発明では、前記後方フラップ部は、半幅寸法が最大となる位置から前記後縁に向けて半幅寸法が徐々に小さくなる形状であることが好ましい。
【００１３】
後方フラップ部が後縁に向かうにしたがって徐々に幅寸法が小さくなる形状であると、後方フラップ部の縁に作用する応力が局部的に集中するのを避けることができ、後方フラップ部が臀部を覆った状態で安定した形状を保ちやすくなる。
【００１４】
また、本発明では、前記折返しフラップ部を縦方向に二分する横方向基準線から前記半幅寸法が最大となる位置までの縦方向の長さ寸法が５０〜１５０ｍｍの範囲であることが好ましい。
【００１５】
また、本発明では、前記後方フラップ部の半幅寸法の最大値は、６０〜１２０ｍｍの範囲であることが好ましい。
【００１６】
後方フラップの半幅寸法が前記範囲内であると、後方フラップ部によって、肛門の側方から後方にかけて臀部を幅広く覆うことができる。
【００１７】
また、本発明は、前記後方フラップ部の着衣側表面には感圧接着剤層が設けられており、この感圧接着剤層は、後方フラップ部の半幅寸法が最大となる位置にその一部が存在し、または前記最大となる位置の前後１０ｍｍの範囲内にその一部が存在しているものである。
【００１８】
後方フラップの幅寸法が最大となる部分またはその近傍部分が、感圧接着剤層を介して下着に固定されると、この部分は後縁よりも前方に離れた部分であり、横方向への動きがさほど大きくないため、前記感圧接着剤層で後方フラップ部を下着にしっかり固定できる。したがって感圧接着剤による固定部の周囲でナプキンに縒れが発生しにくい。
【００１９】
また、本発明は、前記肌側表面には、液吸収領域を囲む圧縮溝が形成されており、この圧縮溝は、前記後方フラップ部の半幅寸法が最大となる位置に存在し、または前記最大となる位置よりも前方１０ｍｍ以内の範囲に位置しているものである。
【００２０】
圧縮溝で囲まれた部分は肌側に隆起し、この隆起部分が膣口から会陰部および肛門にかけて密着しやすくなる。そして、この圧縮溝で囲まれた部分の両側において、後方フラップ部の幅寸法が大きく、この部分が感圧接着剤層で下着にしっかり固定されているため、圧縮溝で囲まれた部分が会陰部や肛門から外れにくく、よって股間部を伝わって後方へ洩れようとする経血を、圧縮溝で囲まれた領域で捕捉しやすくなる。
【発明の効果】
【００２１】
本発明では、後方フラップ部に縒れやめくれが発生しにくく、また後方フラップ部およびナプキン全体が変形しにくくなり、身体の適正な位置に装着された状態を維持し、経血の捕捉機能を高く発揮でき、経血が外部に洩れ難くなる。
【発明を実施するための最良の形態】
【００２２】
図１は本発明の第１の実施の形態の生理用ナプキン１を、肌側表面からみた平面図、図２は前記生理用ナプキン１を着衣側表面から見た底面図、図３は、生理用ナプキン１が身体に装着された状態を身体の臀部方向から見た説明図、図４は、臀部に設置されている生理用ナプキン１の断面図であり、図１のＩＶ−ＩＶ線での断面図に相当している。
【００２３】
この生理用ナプキン１は、図１に現れている肌側表面２と、図２に現れている着衣側表面３を有している。図４に示すように、この生理用ナプキン１の基本的な構造は、肌側表面２に位置する液透過性の表面シート４と、着衣側表面３に位置する液遮断性の裏面シート５と、表面シート４と裏面シート５との間に介在している液吸収層６とを有している。また肌側表面２では、表面シート４の左右両側部に液不透過性の側方シート７，７が設けられている。この側方シート７，７は縦方向に延び且つ前記表面シート４の左右両側部に接着固定されている。そして、この側方シート７，７によって後に説明する防漏壁２５が形成されている。
【００２４】
図１に示すように、液吸収層６は、前方に向けて凸曲線形状の前縁部６ａと後方に向けて凸曲線形状の後縁部６ｂ、および縦方向（Ｙ方向）に直線的に延びる右側縁部６ｃと左側縁部６ｄを有している。
【００２５】
生理用ナプキン１の前縁部１ａは前方に向けて凸曲線形状であり、この前縁部１ａと、前記液吸収層６の前縁部６ａとの間では、表面シート４と裏面シート５との間にホットメルト型接着剤が塗布され且つエンボス加工により圧着されて接着されている。生理用ナプキン１の後縁部１ｂは後方に向けて凸曲線形状であり、この後縁部１ｂと前記液吸収層６の後縁部６ｂとの間においても表面シート４と裏面シート５とが前記と同様にして接着されている。この生理用ナプキン１は、縦方向中心線Ｏｙにおける前縁部１ａから後縁部１ｂまでの縦方向の全長寸法が、２３０〜４５０ｍｍの範囲である。
【００２６】
液吸収層６の右側縁部６ａの外側では、前記裏面シート５と前記側方シート７とがホットメルト型接着剤で接着固定されており、液吸収層６の左側縁部６ｂの外側では、前記裏面シート５と前記側方シート７とがホットメルト型接着剤で接着固定されている。
【００２７】
生理用ナプキン１の剛性は、液吸収層６が設けられている領域と、液吸収層６の右側縁部６ｃと左側縁部６ｄよりも左右外側の領域とで相違している。この実施の形態の生理用ナプキン１では、前記右側縁部６ｃおよび左側縁部６ｄよりも左右外側の領域において、裏面シート５と側方シート７とが接着されて剛性が低下している部分がフラップ部である。この生理用ナプキン１は、縦方向中心線Ｏｙを介して左右対称形状であり、右側縁部６ｃから外側に延びるフラップ部と、左側縁部６ｄから外側に延びるフラップ部の形状も対称形状である。
【００２８】
前記フラップ部の一部が折返しフラップ部１１となっている。この折返しフラップ部１１は、左右両側方へ突出している。この折返しフラップ部１１は、前方において生理用ナプキン１の幅寸法が最小となる前方起点１２と、後方において幅寸法が最小となる後方起点１３とで挟まれた範囲に存在する。また、前記折返しフラップ部１１の縁部１１ａの形状はほぼ台形である。
【００２９】
前記前方起点１２から後方起点１３までの縦方向の寸法を二分して横方向（Ｘ方向）に延びる線が横方向基準線Ｘ１である。この生理用ナプキン１を装着する際に、前記横方向基準線Ｘ１と縦方向中心線Ｏｙとの交点付近が、膣口の中心に合わせるための目安となる。
【００３０】
前記フラップ部のうちの、前方起点１２よりも前方部分が前方フラップ部１５である。前方フラップ部１５の左右両側の縁部１５ａは、前記起点１２から前方に向かうにしたがってナプキンの幅寸法が徐々に大きくなり、その後に前縁部１ａに向けて幅寸法が徐々に小さくなる形状である。
【００３１】
前記フラップ部のうちの後方部分が後方フラップ部２１である。この後方フラップ部２１は、前記後方起点１３よりも後方に位置する突出起点２２から生理用ナプキン１の後縁部１ｂに向けて形成されている。図１に示すように、液吸収層６の前記右側縁部６ｃおよび左側縁部６ｄからそれぞれ後方へ向けて延びる仮想線と生理用ナプキン１の後端との交点を（ｉ）としたときに、前記後方フラップ部２１は前記突出起点２２から前記交点（ｉ）までの範囲に位置している。また、左右両側の交点（ｉ）と交点（ｉ）との間が前記後縁部１ｂである。
【００３２】
前記後方フラップ部２１は、前記突出起点２２から後方に向かうにしたがって生理用ナプキン１の幅寸法が徐々に大きくなる前方縁部２１ａを有している。この前方縁部２１ａは直線形状またはほぼ直線形状である。あるいは、前記前方縁部２１ａは、後方フラップ部２１の縁部のどの部分よりも曲率半径の大きい曲線形状であって、左右両外側に向けて凸形状に、または縦方向中心線Ｏｙに向けて凸形状に形成されているものであってもよい。
【００３３】
前記後方フラップ部２１では、前記前方縁部２１ａの後端部に、その曲率半径が急激に小さくなる前方変曲部２１ｂを有している。後方フラップ部２１は前方変曲部２１ｂよりも後方部分に側方縁部２１ｄを有している。この側方縁部２１ｄの曲率半径は前記前方変曲部２１ｂよりも大きく且つ左右両外側に凸側が向けられる曲線形状である。前記側方縁部２１ｄの後方には、その曲率半径が急激に小さくなる後方変曲部２１ｅが設けられている。この後方変曲部２１ｅよりも後方が、前記後方変曲部２１ｅよりも曲率半径が大きい、あるいはほぼ直線形状の後方縁部２１ｆである。
【００３４】
前記縦方向中心線Ｏｙから縁部までの寸法をフラップ部の半幅寸法とすると、この半幅寸法は、前記突出起点２２から後縁部１ｂに向かって徐々に大きくなって前方変曲部２１ｂとなり、さらに前方変曲部２１ｂから後縁部１ｂに向かうにしたがって半幅寸法がわずかに大きくなって、半幅寸法が最大となる最大幅部２１ｃとなる。側方縁部２１ｄにおいて半幅寸法は前記最大幅部２１ｃから後方変曲部２１ｅに向けて徐々に小さくなり、後方変曲部２１ｅよりも後方では、後縁部１ｂに向けて半幅寸法が比較的急激に収束する。
【００３５】
図１に示す実施の形態では、生理用ナプキン１を縦方向（Ｙ方向）に二分して横方向（Ｘ方向）に延びる横方向中心線Ｏｘよりも前方に、後方起点１３が位置し、前記横方向中心線Ｏｘよりも後方に、突出起点２２が位置している。前記後方起点１３と突出起点２２との間においては、生理用ナプキン１の半幅寸法がほぼ一定である。なお、折返しフラップ部１１と後方フラップ部２１との間において、縁部が縦方向中心線Ｏｙに向けて凸形状の曲線形状である場合には、半幅寸法が最短となる部分が、前記後方起点１３で且つ前記突出起点２２となる。
【００３６】
前記最大幅部２１ｃは、後方フラップ部２１の縦方向の寸法の中心よりも前方に位置している。後方フラップ部２１の縦方向の長さ寸法、すなわち前記突出起点２２から生理用ナプキン１の後縁部１ｂ（前記交点（ｉ））までの縦方向の長さ寸法をＬａとし、前記突出起点２２から最大幅部２１ｃまでの縦方向の寸法をＬｂとしたときに、ＬｂがＬａの１／２以下である。好ましくは、Ｌｂは、Ｌａの０．４倍以下であり、さらに好ましくは０.３５倍以下である。
【００３７】
前記横方向基準線Ｘ１から最大幅部２１ｃまでの縦方向の寸法Ｌｃは、５０ｍｍ以上で１５０ｍｍ以下が好ましく、さらに好ましくは７０ｍｍ以上で１２０ｍｍ以下である。
【００３８】
最大幅部２１ｃの位置が前記寸法範囲内に設定されていると、肛門よりもやや後方の領域において、後方フラップ部２１が左右に大きく広がることになり、経血の斜め後方への洩れを防止しやすく、また後方フラップ部２１の縒れやめくれを防止しやすくなる。
【００３９】
前記突出起点２２は、前記横方向基準線Ｘ１から後方に３０〜９０ｍｍの位置にあることが好ましい。３０ｍｍ未満であると、後方フラップ部２１の前方縁部２１ａが下着のクロッチ部から大きく突出するおそれがあり、９０ｍｍを超えると、後方フラップ部２１と横方向中心線Ｘ１とが離れすぎ、後方フラップ部２１による洩れ防止効果を有効に発揮しにくくなる。
【００４０】
前記前方変曲部２１ｂと前記最大幅部２１ｃとの縦方向の距離は２０ｍｍ以内であり、好ましくは１０ｍｍ以内である。なお、前記前方変曲部２１ｂと最大幅部２１ｃとがほぼ一致していることがさらに好ましい。
【００４１】
また、前記最大幅部２１ｃの半幅寸法が縦方向の一定の範囲において一定値である場合には、この最大幅部２１ｃの前端が、前記寸法Ｌａの１／２よりも前方で且つ前記寸法の範囲内に位置していることが好ましく、最大幅部２１ｃの前端と後端の双方が、前記寸法Ｌａの１／２よりも前方で且つ前記寸法の範囲内に位置していることがさらに好ましい。
【００４２】
後方フラップ部２１の前記最大幅部２１ｃの半幅寸法は、６０〜１２０ｍｍの範囲であることが好ましい。また、前記液吸収層６の右側縁部６ｃおよび左側縁部６ｃから各最大幅部２１ｃまでの幅寸法が、それぞれ２０〜１００ｍｍの範囲が好ましく、さらに好ましくは３０〜８０ｍｍの範囲である。２０〜１００ｍｍの範囲であれば、液吸収層６の左右両側において後方フラップ部２１が十分な広がりを持つことができる。
【００４３】
図４に示すように、生理用ナプキン１の肌側表面２では、前記側方シート７の縦方向中心線Ｏｙに対向する縁部が折り畳まれて折り畳み体７ａが形成されており、この折り畳み体７ａに縦方向への収縮力を発揮する弾性部材が取付けられている。前記折り畳み体７ａは、図１に示す前方接合線２６よりも前方において、その全体が肌側表面２に接着固定されており、後方接合線２７の後方においても、その全体が肌側表面２に接着固定されている。また、折り畳み体７ａは、前記前方接合線２６と後方接合線２７との間において図４に示すように自由状態となっている。
【００４４】
前記折り畳み体７ａに取付けられた前記弾性部材の弾性収縮力は、前方接合線２６と後方接合線２７とを互いに接近させるように機能し、生理用ナプキン１に外力が作用していないときには、前記前方接合線２６と後方接合線２７との間で生理用ナプキン１は、肌側表面２が窪むように変形しようとし、その結果、前方接合線２６と後方接合線２７との間で、前記側方シート７の折り畳み体７ａが図４に示すように肌側表面から立ち上がって防漏壁２５が形成される。
【００４５】
図１に示すように、前記前方接合線２６と後方接合線２７は縦方向に対して斜めに直線的に延びており、前方接合線２６の先端が、防漏壁２５の前方立ち上がり起点２６ａとなり、後方接合線２７の後端が、防漏壁２５の後方立ち上がり起点２７ａとなっている。
【００４６】
図１に示すように、前記後方フラップ部２１の最大幅部２１ｃを通って横方向（Ｘ方向）に延びる仮想線をＸ２としたときに、この仮想線Ｘ２の部分では防漏壁２５が立ち上がっていることが好ましい。あるいは、前記防漏壁２５の後方立ち上がり起点２７ａが、前記仮想線Ｘ２よりも前方へ１０ｍｍ以上離れていないことが好ましい。後方フラップ部２１の前記最大幅部２１ｃよりも前方部分の内側に防漏壁２５が存在することになり、防漏壁２５と横方向へ張り出す後方フラップ部２１とで、経血の洩れを確実に防止しやすくなる。
【００４７】
なお、前記最大幅部２１ｃが縦方向に一定の長さ範囲で形成されている場合には、前記仮想線Ｘ２は、その最大幅部２１ｃの最前端を通過する線として定義できる。
【００４８】
生理用ナプキン１の肌側表面２では、防漏壁２５と防漏壁２５とで挟まれた領域に、表面シート４および液吸収層６が圧縮されて形成された圧縮溝が設けられている。前記圧縮溝は、縦方向に湾曲しながら延びる縦圧縮溝３１，３１と、前方において前記縦圧縮溝３１と３１との間に位置する前方横圧縮溝３２と、後方において縦圧縮溝３１と３１とを繋ぐ後方横圧縮溝３３とを有している。
【００４９】
前記縦圧縮溝３１，３１と前方横圧縮溝３２および後方横圧縮溝３３とで囲まれた領域が、縦長の主吸収領域４０となっている。この主吸収領域４０は、前方主吸収領域４０Ａと中間主吸収領域４０Ｂと後方主吸収領域４０Ｄに区分できる。
【００５０】
前方主吸収領域４０Ａは、横方向基準線Ｘ１の前後に一定の範囲で延び、左右の縦圧縮溝３１，３１は、縦方向中心線Ｏｙ−Ｏｙに凸側が向けられる曲線形状である。前記横方向基準線Ｘ１−Ｘ１において縦圧縮溝３１と縦圧縮溝３１の間隔が最も狭くなっている。
【００５１】
中間主吸収領域４０Ｂは、横方向中心線Ｏｘを中心としてその前後の所定範囲に位置し、この中間主吸収領域４０Ｂにおいては、縦圧縮溝３１と縦圧縮溝３１との間隔が広くなって、主吸収領域１０が横方向に向けて幅広となっている。また後方主吸収領域４０Ｄでは、縦圧縮溝３１と縦圧縮溝３１との間隔が、前記中間主吸収領域４０Ｂよりも狭くなっており、後方主吸収領域４０Ｄは縦方向へ細長く形成されている。
【００５２】
図１に示すように、主吸収領域４０は縦長寸法である。主吸収領域４０の後端部４０Ｅは、前記仮想線Ｘ２よりも後方に位置していることが好ましい。ただし、図１に示す実施の形態のように、後端部４０Ｅが前記仮想線Ｘ２よりも前方へ１０ｍｍ以内の範囲に位置しているものであってもよい。
【００５３】
前記前方主吸収領域４０Ａの左右両側では、縦圧縮溝３１，３１の外側に間隔を空けて側方外側圧縮溝３４，３４が形成されている。さらに、後方主吸収領域４０Ｄの左右両外側では、前記縦圧縮溝３１，３１から横方向へ間隔を空けて、後方外側圧縮溝３５，３５が形成されている。この後方外側圧縮溝３５，３５は縦方向中心線Ｏｙ−Ｏｙとほぼ平行で縦方向に延びている。また、主吸収領域４０の後端部４０Ｅよりもさらに後方に向けて延びている。
【００５４】
前記各圧縮溝は、表面シート４側から、この表面シート４と液吸収層６とを一緒に加熱して加圧することにより形成されている。各圧縮部の底部では、高密度に圧縮された高密度圧縮部とこれよりもやや密度が低い中密度圧縮部とが、圧縮部の線パターンに沿って交互に形成され、全体が窪んだ溝形状となっている。ただし前記それぞれの圧縮溝は、所定の密度に圧縮されたドット状のものが前記各圧縮溝の線パターンに沿って所定の間隔で形成されていてもよい。
【００５５】
図４に示すように、前記主吸収領域４０では、表面シート４と液吸収層６とが肌側に向けて隆起している。なお、この主吸収領域４０において、表面シート４と液吸収層６との間に、嵩高で液吸収層６よりも低密度の液透過層（クッション層）が介在しているものであってもよい。
【００５６】
図２に示すように、生理用ナプキン１の着衣側表面３では、折返しフラップ部１１に延びる裏面シート５の表面に、前方感圧接着剤層５１が設けられている。この前方感圧接着剤層５１は、矩形状のパターンであり、横方向基準線Ｘ１−Ｘ１を中心として縦方向の前後に所定の長さの範囲で設けられている。
【００５７】
着衣側表面３では、後方フラップ部２１に延びる裏面シート５の表面に、後方感圧接着剤層５２が設けられている。図１に示すように、後方感圧接着剤層５２は、その一部が後方フラップ部２１の最大幅部２１ｃの内側に位置している。すなわち前記仮想線Ｘ２が前記後方感圧接着剤層５２を横断している。
【００５８】
前記後方感圧接着剤層５２は、仮想線Ｘ２よりも前方または後方に位置してもよいが、この場合には、後方感圧接着剤層５２が、仮想線Ｘ２よりも１０ｍｍ以上離れていないことが好ましく、さらには５ｍｍ以上離れていないことがさらに好ましい。
【００５９】
なお、後方フラップ部２１の着衣側表面３において、前記後方感圧接着剤５２よりも後方位置に、他の後方感圧接着剤層がさらに付加されて設けられていてもよい。
【００６０】
図２に示すように、生理用ナプキン１の着衣側表面３では、縦方向中心線Ｏｙ−Ｏｙを挟んで左右両側に、縦方向に延びる中央感圧接着剤層５４，５４が設けられている。
【００６１】
次に生理用ナプキン１を形成する各素材の好ましい例を説明する。
表面シート４は液透過性であり、エアースルー不織布、スパンレース不織布、あるいは多数の液透過孔が形成された樹脂フィルムなどで形成されている。裏面シート５は液遮断性の樹脂フィルムであり、通気性のものが使用される。
【００６２】
液吸収層６はパルプの積層体や、パルプと高吸収性ポリマーとの積層体、あるいはセルロース系繊維と合成樹脂繊維とをエアーレイド法で積層し、接着剤で繊維間を固定したエアーレイド不織布などで形成される。
【００６３】
次に、側方シート７は液遮断性であり、撥水処理されているものが好ましく使用される。側方シート７を形成する素材としては、メルトブローン不織布やスパンボンド不織布、あるいはスパンボンド不織布／メルトブローン不織布／スパンボンド不織布の積層不織布などを使用できる。
【００６４】
感圧接着剤層５１，５２，５４はゴム系のホットメルト型接着剤などで形成される。
図３と図４は前記生理用ナプキン１が女性の身体７０に装着された状態を示している。なお、図４では、生理用ナプキン１が身体から離れているように図示されているが、実際は生理用ナプキン１の肌側表面３が身体に密着する。
【００６５】
この生理用ナプキン１は、縦方向中心線Ｏｙ−Ｏｙと横方向基準線Ｘ１−Ｘ１との交点付近が女性の膣の中心に一致することを目安として着用される。その状態で、折返しフラップ部１１を下着の脚開口部からクロッチ部の外側に折返し、折返しフラップ部１１に設けられた前方感圧接着剤層５１を下着のクロッチ部の外面に接着する。また、中央感圧接着剤層５４により生理用ナプキン１の着衣側表面３の中央部分が、下着のクロッチ部から後身頃の下部までの内面に接着される。
【００６６】
図３に示すように、後方フラップ部２１は、下着の後身頃の内面において左右に展開された状態で、その着衣側表面が、後方感圧接着剤層５２によって下着の内面に接着固定される。
【００６７】
この生理用ナプキン１は、防漏壁２５の縦方向の弾性収縮力によって、肌側表面２が窪むように変形し、図４に示すように、防漏壁２５が肌側表面２から立ち上がるように変形する。
【００６８】
着用状態では、前述したように、縦方向中心線Ｏｙ−Ｏｙと横方向基準線Ｘ１−Ｘ１との交叉部分およびその周辺が女性の膣口に当接し、前方主吸収領域４０Ａと中間主吸収領域４０Ｂとの中間部分が会陰部に対向し、中間主吸収領域４０Ｂの前方部分が肛門に対向する。そして図４に示すように、中間主吸収領域４０Ｂから後方主吸収領域４０Ｄにかけて、身体７０の肛門から臀部の溝７１に沿うようになり、後方主吸収領域４０Ｄの後方部分、すなわち主吸収領域４０の後端部４０Ｅよりも前方に５〜２０ｍｍ程度の範囲が尾てい骨に対向する。
【００６９】
膣口から排泄される経血は、主に前方主吸収領域４０Ａに与えられて表面シート４を透過し、液吸収層６で吸収される。主吸収領域４０は縦圧縮溝３１で挟まれているため、経血の横方向への拡散を前記縦方向圧縮溝３１で規制できる。
【００７０】
前記主吸収領域４０は縦長であり、中間主吸収領域４０Ｂから後方主吸収領域４０Ｄにかけて、会陰部から肛門を経て尾てい骨に向かって延びている。そしてこの部分は、下着６１の股間部から後身頃に向かって延びる弾性バンド６２によって、図４に示すように臀部の溝内に入り込む変形させられる。
【００７１】
そのため、身体７０が就寝姿勢のときに、膣口から短時間に比較的多量の経血が排泄され、この経血が生理用ナプキン１の肌側表面２を伝わって後方へ移行しようとしても、中間主吸収領域４０Ｂと後方主吸収領域４０Ｄによって、経血が拡散するのを防止できる。
【００７２】
身体７０が就寝時に横向き姿勢となった場合などにおいて、経血は前記中間主吸収領域４０Ｂまたは後方主吸収領域４０Ｄから斜め後方へ流れ出ることがある。この場合に、万が一、経血が縦圧縮溝３１および後方外側圧縮溝３５を越え、さらに防漏壁２５を越えたとしても、その側方外側には後方フラップ部２１の最大幅部２１ｃが存在しているため、その経血を後方フラップ部２１で受け止めることができ、生理用ナプキン１の外への経血の滲出を防止しやすい。
【００７３】
図３に示すように、生理用ナプキン１の後方フラップ部２１は、下着６１の後身頃において広く展開して設置されるが、後方フラップ部２１の最大幅部２１ｃは、臀部の下方位置に対向し、後身頃においては上方に向かうにしたがって生理用ナプキン１の幅寸法が徐々に狭くなっている。
【００７４】
この生理用ナプキン１の横方向中心線Ｏｘ−Ｏｘよりも前方部分は、股間部において大腿部間に挟まれ、また折返しフラップ部１１に設けられた感圧接着剤層５１によって下着６１のクロッチ部の外面にしっかり固定されている。したがって、身体７０が動いたときに、生理用ナプキン１の横方向中心線Ｏｘ−Ｏｘよりも前方部分は、下着６１の内部で左右に大きく動きにくくなっている。
【００７５】
これに対し、生理用ナプキン１の横方向中心線Ｏｘ−Ｏｘよりも後方部分では、身体７０の動きにしたがって、縦方向中心線Ｏｙと横方向中心線Ｏｘとの交点Ｏｘｙ付近を支点として左右方向への動きＭが発生しやすい。このときの生理用ナプキン１の左右方向の動きＭの量は、前記交点Ｏｘｙから離れるにしたがって大きくなる。
【００７６】
従来のように、生理用ナプキンの最大幅部が生理用ナプキンの後縁に近い位置にあると、この最大幅部が前記交点Ｏｘｙから離れた位置にあって左右方向の動きＭの量が大きくなる。よって最大幅部において縒れや下着６１からのめくれが発生しやすい。これに対し、前記生理用ナプキン１を装着すると、最大幅部２１ｃを通る仮想線Ｘ２が、前記交点Ｏｘｙに近い位置にあるため、この最大幅部２１ｃの左右方向への動きＭの量が比較的小さくなる。しかもこの最大幅部２１ｃの内側に後方感圧接着剤層５２が設けられて、この部分が下着６１にしっかり止められているため、最大幅部２１ｃの部分において後方フラップ部２１に縒れやめくれが生じにくい。
【００７７】
また、図３に示すように、生理用ナプキン１の後縁部１ｂでの幅寸法が比較的小さいため、この部分での左右方向の動きＭの量が大きくても、この後縁部１ｂの付近に縒れやめくれが発生しにくい。
【００７８】
このように、生理用ナプキン１の後方部分の縒れやめくれが生じ難い構造であるため、前記縒れが横方向中心線Ｏｘよりも前方に伝わることがなく、生理用ナプキン１全体が安定した姿勢で位置ずれしにくくなる。
【００７９】
また、縦圧縮溝３１は高密度で剛性が高くなっており、この縦圧縮溝３１に挟まれた主吸収領域４０は嵩高に隆起しその形状を保ちやすくなっている。前記のように中間主吸収領域４０Ｂから後方主吸収領域４０Ｄにかけて会陰部から尾てい骨にかけて臀部の溝７１内に入り込んでいる。しかし、後方主吸収領域４０Ｄの後端部４０Ｅの左右両側に後方フラップ部２１の最大幅部２１ｃが位置し、この最大幅部２１ｃが後方感圧接着剤層５２で下着６１にしっかり固定されているため、後方主吸収領域４０Ｄが左右に動きにくい。
【００８０】
さらに、この最大幅部２１ｃに作用する横方向の動きＭの量が小さいため、前記後方主吸収領域４０Ｄに対して左右へ動かそうとする力および縒れ力が作用しにくい。よって、後方主吸収領域４０Ｄが臀部の溝７１に密着した状態で左右に動きにくくなり、後方主吸収領域４０Ｄと身体との隙間が生じにくく、経血の後方への洩れがさらに発生しにくい。
【００８１】
図５は本発明の第２の実施の形態の生理用ナプキン１００を、肌側表面から見た平面図、図６は前記生理用ナプキン１００を着衣側表面から見た底面図である。
【００８２】
この生理用ナプキン１００は、前記第１の実施の形態の生理用ナプキン１よりも、縦方向中心線Ｏｙにおける縦方向の全長寸法が短く構成されることを目的としたものである。よって、第２の実施の形態の生理用ナプキン１００と、前記第１の実施の形態の生理用ナプキン１とでは、全体の形状および各部分の形状に相違する部分があるが、第２の実施の生理用ナプキン１００において、第１の実施の形態の生理用ナプキン１と同じ目的で設けられている構成については生理用ナプキン１と同じ符号を付してその詳しい説明を省略する。
【００８３】
以下、生理用ナプキン１００のうちの生理用ナプキン１と相違する部分を主に説明する。
【００８４】
第２の実施の形態の生理用ナプキン１００は、縦方向中心線Ｏｙにおける縦方向の全長寸法が、２００〜３３０ｍｍ程度である。よって、横方向中心線Ｏｘは、折返しフラップ部１１を横断する位置にある。また、折返しフラップ部１１と後方フラップ部２１との中間部分での縦方向の長さ寸法が短くなっており、折返しフラップ部１１の後方起点１３と後方フラップ部２１の突出起点２２とが一致（ほぼ一致）している。
【００８５】
この生理用ナプキン１００では、後方フラップ部２１の前方変曲部２１ｂと最大幅部２１ｃがきわめて接近しまたはほぼ一致している。ただし、前記最大幅部２１ｃは、後方フラップ部２１の縦方向の長さ寸法Ｌａを二分する中点よりも前方に位置している。また、後方フラップ部２１の側方縁部２１ｄには、前記最大幅部２１ｃから後方へＬｄの長さ範囲で、縦方向中心線Ｏｙからの半幅寸法がほぼ等しい平行部２１ｇが設けられている。
【００８６】
縦圧縮溝３１，３１、前方横圧縮溝３２および後方横圧縮溝３３とで囲まれた主吸収領域４０が縦長となっているが、この主吸収領域４０の後端部４０Ｅは、最大幅部２１ｃを通過する仮想線Ｘ２よりも後方に位置し、前記後端部４０Ｅは、前記平行部２１ｇの後端部とほぼ同じ位置にある。
【００８７】
防漏壁２５の後方立ち上がり起点２７ａは、前記仮想線Ｘ２よりも後方に位置し、また前記後方立ち上がり起点２７ａは、前記平行部２１ｇの後端よりも後方に位置している。
【００８８】
後方フラップ部２１の最大幅部２１ｃでの半幅寸法は、前記第１の実施の形態の生理用ナプキン１と同等である。また、後方感圧接着剤層５２の前端は、前記仮想線Ｘ２とほぼ一致しており、前記平行部２１ｇの内側に前記後方感圧接着剤層５２の少なくとも一部が存在している。
【００８９】
この生理用ナプキン１００を身体に装着すると、前方主吸収領域４０Ａにおいて横方向基準線Ｘ１と縦方向中心線Ｏｙとの交点付近が膣口に対向する。また、縦圧縮溝３１と縦圧縮溝３１との対向間隔が広くなる中間主吸収領域４０Ｂは、縦方向中心線Ｏｙと横方向中心線Ｏｘとの交点Ｏｘｙよりもやや後方に位置し、この中間主吸収領域４０Ｂが会陰部付近に対向する。前記主吸収領域４０は、仮想線Ｘ２が横断している部分が後方主吸収領域４０Ｄであるが、仮想線Ｘ２から後端部４０Ｅにかけての部分が肛門付近に対向する。
【００９０】
第２の実施の形態の生理用ナプキン１００は、第１の実施の形態の生理用ナプキン１よりも全体の長さ寸法がやや短いが、後方フラップ部２１の最大幅部２１ｃが、前方に位置しているため、第１の実施の形態の生理用ナプキン１と全く同じ効果を奏することができる。
【００９１】
本発明は、前記実施の形態の生理用ナプキン１または１００に限られるものではなく、種々の変更が可能である。図７ないし図９は、後方フラップ部の形状が前記生理用ナプキン１，１００と相違しているが、後方フラップ部以外の構造および寸法関係は、全て前記生理用ナプキン１，１００と同じである。
【００９２】
図７に示す生理用ナプキン１０１の後方フラップ部１２１は、その前方部分の形状が図１に示した後方フラップ部２１と同じであるが、その後方部分１２２では、ナプキンの幅寸法が急激に減少している。そして、後方部分１２２において縦方向の一定の範囲で、幅寸法がほぼ一定となっている。
【００９３】
図８に示す生理用ナプキン２０１の後方フラップ部２２１は、その前方部分の形状が図１に示した後方フラップ部２１と同じであり、その後方部分２２２では、ナプキンの幅寸法が急激に減少し、さらに後方部分２２２は、後縁部１ｂに向けて幅寸法が徐々に減少している。
【００９４】
図９に示す生理用ナプキン３０１の後方フラップ部３２１は、その前方部分の形状が図１に示した後方フラップ部２１と同じであるが、その後方部分３２２では、ナプキンの幅寸法が段階的に減少している。
【００９５】
図７ないし図９に示す生理用ナプキン１０１，２０１，３０１は、後方フラップ部１２１，２２１，３２１の最大幅部２１ｃが前方に位置しているため、前記生理用ナプキン１と同様に斜め後方への経血の洩れを防止でき、また下着６１の内側において安定した姿勢で装着できるようになる。
【００９６】
ただし、図１に示す実施の形態のように、後方フラップ部２１の縁部形状が、後縁部１ｂに向かうにしたがって幅寸法が徐々に減少できるように、縁部が左右外側に凸側が向く突曲線形状であると、生理用ナプキンに作用する縒れの力やめくり力が、縁部のいずれかの部分に局部的に集中することがなく、前記縒れやめくれが生じにくくなる。よって、後方フラップ部の形状は図１に示す実施の形態が最も好ましい。
【図面の簡単な説明】
【００９７】
【図１】本発明の第１の実施の形態の生理用ナプキンを肌側表面を手前側として示す平面図、
【図２】本発明の第１の実施の形態の生理用ナプキンを着衣側表面を手前側として示す底面図、
【図３】前記生理用ナプキンが身体に装着された状態を身体の臀部側から示す説明図、
【図４】前記生理用ナプキンが臀部の溝に対向している状態を示すものであり、生理用ナプキンを図１のＩＶ−ＩＶ線で切断した断面図、
【図５】本発明の第２の実施の形態の生理用ナプキンを肌側表面を手前側として示す平面図、
【図６】本発明の第２の実施の形態の生理用ナプキンを着衣側表面を手前側として示す底面図、
【図７】本発明の生理用ナプキンの変形例を示す平面図、
【図８】本発明の生理用ナプキンの変形例を示す平面図、
【図９】本発明の生理用ナプキンの変形例を示す平面図、
【符号の説明】
【００９８】
１，１００，１０１，２０２，３０１  生理用ナプキン
１ａ  前縁
１ｂ  後縁部
２  肌側表面
３  着衣側表面
４  表面シート
５  裏面シート
６  液吸収層
７  側方シート
１１  折返しフラップ部
１５  前方フラップ部
２１，１２１，２２１，３２１  後方フラップ部
２１ｃ  最大幅部
２５  防漏壁
３１  縦圧縮溝
３２  前方横圧縮溝
３３  後方横圧縮溝
４０  主吸収領域
４０Ａ  前方主吸収領域
４０Ｂ  中間主吸収領域
４０Ｄ  後方主吸収領域
４０Ｅ  後端部
５２  後方感圧接着剤層
【図１】
2005177087.tif 000003
【図２】
2005177087.tif 000004
【図３】
2005177087.tif 000005
【図４】
2005177087.tif 000006
【図５】
2005177087.tif 000007
【図６】
2005177087.tif 000008
【図７】
2005177087.tif 000009
【図８】
2005177087.tif 000010
【図９】
2005177087.tif 000011